(57)【要約】【課題】ロッドアンテナを、自動的に、しかも曲がりや折れを生じさせることなく格納することができる携帯電話機を提供する。【解決手段】一端部を本体部１に枢支され、本体部１の外方に張出す開状態と本体部上に重なる閉状態とに開閉回動される蓋部６に設けられたロッドアンテナ１２の基端と、本体部１ケース２内に回転可能に設けられたリール部材１３とをアンテナ引込みワイヤ１８により連結するとともに、リール部材１３に設けられたロック部材係合部１５とロック部材１６とからなり、蓋部６の閉回動時にリール部材１３を本体部１に対して回転阻止状態にロックし、ロッドアンテナ１２の突出し時にリール部材１３のロックを解除するリールロック機構を備えた。【選択図】図２
2006304094.tif 000002
【特許請求の範囲】
【請求項１】
第１の薄型ケースの前面にキーボード部及びマイク部が設けられた本体部と、
第２の薄型ケースの前後面の一方に表示部及びスピーカ部が設けられ、一端部を前記本体部に枢支され、前記本体部の外方に張出す開状態と前記本体部の前面上に重なる閉状態とに開閉回動される蓋部と、
前記本体部または蓋部に設けられ、前記蓋部を前記本体部の外方に開回動させた状態で外部に突出され、前記蓋部を前記本体部の前面上に閉回動させたときに引込み格納されるロッドアンテナと、
前記本体部と蓋部の一方のケース内に回転可能に設けられたリール部材と、
前記蓋部の閉回動時に前記リール部材を前記本体部と蓋部の他方に対して回転阻止状態にロックし、前記ロッドアンテナの突出し時に前記リール部材のロックを解除するリールロック機構と、
前記ロッドアンテナの基端と前記リール部材とを連結し、前記蓋部の閉回動により前記他方のケースにロックされた前記リール部材に巻取られて前記ロッドアンテナを前記本体部または蓋部内に引込むアンテナ引込みワイヤとを備えたことを特徴とする携帯電話機。
【請求項２】
リール部材は、本体部の前面に対して垂直に設けられた軸部材を中心としてその軸回り方向に回転可能に設けられていることを特徴とする請求項１に記載の携帯電話機。
【請求項３】
リールロック機構は、一方のケース内のリール部材に設けられたロック部材係合部と、他方のケースに設けられ、予め定めたばね力により前記リール部材のロック部材係合部に係合し、前記リール部材に前記ばね力よりも大きい回転力が加わったときに、前記ロック部材係合部から離脱して前記リール部材のロックを解除するロック部材とからなっていることを特徴とする請求項１または２に記載の携帯電話機。
【請求項４】
アンテナ押出しばねと、ロッドアンテナを前記アンテナ押出しばねのばね力によりケース外に突出させるためのアンテナ突出し操作部とをさらに備えたことを特徴とする請求項３に記載の携帯電話機。
【発明の詳細な説明】
【技術分野】
【０００１】
この発明は、携帯電話機に関する。
【背景技術】
【０００２】
携帯電話機は、送受信用のロッドアンテナを備えている（特許文献１、２参照）
【特許文献１】特開平９―２８４３６８号公報
【特許文献２】特開２００４―９４３６６号公報
【発明の開示】
【発明が解決しようとする課題】
【０００３】
前記携帯電話機のロッドアンテナは、従来、使用時に手で電話機外に引出され、使用後に手で電話機内に押込み格納されている。
【０００４】
しかし、従来の携帯電話機は、前記ロッドアンテナを、その先端に設けられた摘み部を押して電話機内に格納しなければならないため、アンテナ格納が面倒であり、しかも、アンテナ格納の際の乱暴な押込みにより、前記ロッドアンテナが曲がったり折れたりすることがあった。
【０００５】
この発明は、ロッドアンテナを、自動的に、しかも曲がりや折れを生じさせることなく格納することができる携帯電話機を提供することを目的としたものである。
【課題を解決するための手段】
【０００６】
この発明の携帯電話機は、第１の薄型ケースの前面にキーボード部及びマイク部が設けられた本体部と、第２の薄型ケースの前後面の一方に表示部及びスピーカ部が設けられ、一端部を前記本体部に枢支され、前記本体部の外方に張出す開状態と前記本体部の前面上に重なる閉状態とに開閉回動される蓋部と、前記本体部または蓋部に設けられ、前記蓋部を前記本体部の外方に開回動させた状態で外部に突出され、前記蓋部を前記本体部の前面上に閉回動させたときに引込み格納されるロッドアンテナと、前記本体部と蓋部の一方のケース内に回転可能に設けられたリール部材と、前記蓋部の閉回動時に前記リール部材を前記本体部と蓋部の他方に対して回転阻止状態にロックし、前記ロッドアンテナの突出し時に前記リール部材のロックを解除するリールロック機構と、前記ロッドアンテナの基端と前記リール部材とを連結し、前記蓋部の閉回動により前記他方のケースにロックされた前記リール部材に巻取られて前記ロッドアンテナを前記本体部または蓋部内に引込むアンテナ引込みワイヤとを備えたことを特徴とする。
【０００７】
この発明の携帯電話機においては、前記リール部材を、前記本体部の前面に対して垂直に設けられた軸部材を中心としてその軸回り方向に回転可能に設けるのが望ましい。
【０００８】
この携帯電話機において、前記リールロック機構は、前記一方のケース内の前記リール部材に設けられたロック部材係合部と、前記他方のケースに設けられ、予め定めたばね力により前記リール部材のロック部材係合部に係合し、前記リール部材に前記ばね力よりも大きい回転力が加わったときに、前記ロック部材係合部から離脱して前記リール部材のロックを解除するロック部材とにより構成するのが好ましい。
【０００９】
また、この携帯電話機は、アンテナ押出しばねと、前記ロッドアンテナを前記アンテナ押出しばねのばね力によりケース外に突出させるためのアンテナ突出し操作部とをさらに備えているのが好ましい。
【発明の効果】
【００１０】
この発明の携帯電話機は、前記本体部と、一端部を前記本体部に枢支され、前記本体部の外方に張出す開状態と前記本体部の前面上に重なる閉状態とに開閉回動される前記蓋部とのいずれかに設けられた前記ロッドアンテナの基端と、前記本体部と蓋部の一方のケース内に回転可能に設けられたリール部材とをアンテナ引込みワイヤにより連結するとともに、前記蓋部の閉回動時に前記リール部材を他方に対して回転阻止状態にロックするリールロック機構を備え、前記蓋部を開回動させた状態で前記本体部または蓋部外に突出された前記ロッドアンテナを、前記蓋部の閉回動にともなって、前記リールロック機構によりロックされた前記リール部材に前記アンテナ引込みワイヤを巻取らせて前記本体部または蓋部内に引込むようにしたものであり、この携帯電話機によれば、前記ロッドアンテナを、前記蓋部の閉回動に連動させて自動的に、しかも曲がりや折れを生じさせることなく格納することができる。
【００１１】
また、前記リールロック機構は、前記ロッドアンテナの突出し時に前記リール部材のロックを解除するため、前記リール部材をワイヤ繰出し方向に回転させ、前記ロッドアンテナを無理なく突出させることができる。
【００１２】
この発明の携帯電話機においては、前記リール部材を、前記本体部の前面に対して垂直に設けられた軸部材を中心としてその軸回り方向に回転可能に設けるのが望ましく、このようにすることにより、前記本体部と蓋部のケースのうち、前記リール部材を設けたケースを厚くすることなく前記リール部材の径を大きくし、前記アンテナ引込みワイヤの巻取り及び繰出し長さを、予め定めたアンテナ突出し及び引込みストロークに応じて充分に確保することができる。
【００１３】
この携帯電話機において、前記リールロック機構は、前記一方のケース内の前記リール部材に設けられたロック部材係合部と、前記他方のケースに設けられ、予め定めたばね力により前記リール部材のロック部材係合部に係合し、前記リール部材に前記ばね力よりも大きい回転力が加わったときに、前記リール部材のロック部材係合部から離脱して前記リール部材のロックを解除するロック部材とにより構成するのが好ましく、このようにすることにより、携帯電話機を前記ロッドアンテナを突出させずに使用したときも、前記ロッドアンテナやアンテナ引込みワイヤ及びリール部材に無理な負荷をかけることなく前記蓋部を閉回動させることができる。
【００１４】
また、この携帯電話機は、アンテナ押出しばねと、前記ロッドアンテナを前記アンテナ押出しばねのばね力によりケース外に突出させるためのアンテナ突出し操作部とをさらに備えているのが好ましく、このようにすることにより、前記ロッドアンテナを自動的に突出させることができる。
【発明を実施するための最良の形態】
【００１５】
（第１の実施形態）
図１〜図５はこの発明の第１の実施例を示しており、図１は携帯電話機の使用状態の斜視図、図２は前記携帯電話機のアンテナ突出し格納機構の斜視図、図３及び図４は前記アンテナ突出し格納機構のアンテナ突出し状態及びアンテナ格納状態の正面図、図５は図３のV−V線に沿う携帯電話機の拡大断面図である。
【００１６】
この携帯電話機は、第１の薄型ケース２の前面に複数のキー４を配列したキーボード部３及びマイク部５が設けられた本体部１と、第２の薄型ケース７の前後面の一方に表示部８及びスピーカ部９とカメラレンズ部１０が設けられ、一端部を前記本体部１の一端部に枢支され、前記本体部１の外方に張出す開状態と前記本体部１の前面上に重なる閉状態とに開閉回動される蓋部６とからなっている。
【００１７】
この実施例の携帯電話機は、前記蓋部６を、前記本体部１の前面に対して垂直に設けられた軸部材１１を中心として、前記本体部１の前面に平行な面に沿った方向に開閉回動可能に設けたものであり、前記表示部８及びスピーカ部９とカメラレンズ部１０は、前記蓋部６の前後面のうち、閉回動時に前記本体部１の前面に対向する面とは反対側の面に設けられている。
【００１８】
前記軸部材１１は、前記蓋部６のケース（第２のケース）７の前面部に設けられた軸孔７ａを通して前記本体部１のケース（第１のケース）２内に挿入され、その先端部に設けられたねじ部１１ａを前記本体部１のケース（以下、本体部ケースという）２の後面部の内面に設けられた軸部材固定部２ａにねじ込み固定されており、前記蓋部６は、そのケース（以下、蓋部ケースという）７を前記軸部材１１の後端の外周に形成された円形鍔部１１ｂと前記本体部ケース２の前面との間に摺動可能に挟持され、前記軸部材１１を中心として本体部１の前面に平行な面に沿った方向に安定に回動するように設けられている。
【００１９】
なお、図では省略しているが、前記本体部１に対する前記蓋部６の枢支部には、前記蓋部６の開閉回動範囲を実質的に１８０度の範囲に規定するストッパ手段が設けられており、前記蓋部６は、その開閉回動範囲を図１に矢線で示したように、前記本体部１の前面上に重なった閉状態から、前記本体部１の一側方向、例えば電話機の前側から見て右方向を回って前記本体部１の外方に張出す開状態に回動され、その開状態から、前記右方向を回って前記閉状態に回動される。すなわち、この実施例では、前記蓋部６を、前側から見て、左回り方向に開回動させ、右回り方向に閉回動させるようにしている。
【００２０】
また、前記本体部１と蓋部６のいずれか、例えば蓋部６には、この蓋部６を前記本体部１の外方に開回動させた状態で図１〜図３のように外部に突出され、前記蓋部６を前記本体部１の前面上に閉回動させたときに図４のように蓋部６内に引込み格納されるロッドアンテナ１２が設けられている。
【００２１】
このロッドアンテナ１２は、その先端に引出し用摘み部１２ａが設けられた手動引出しアンテナであり、蓋部ケース７内の一側部、例えば前記蓋部６の開閉回動範囲側とは反対側（前側から見て左側）の側部に、前記蓋部ケース７の長さ方向に沿わせて配置され、前記蓋部ケース７内の他端部、つまり前記本体部１に対する枢支側とは反対側の端部の一側部に形成されたアンテナガイド部７ｂに、アンテナ軸方向にスライド可能に保持されている。
【００２２】
さらに、この携帯電話機は、前記本体部１と蓋部６の一方のケース、例えば蓋部ケース７内に回転可能に設けられたリール部材１３と、前記蓋部６の閉回動時に前記リール部材１３を前記本体部１と蓋部６の他方、つまり本体部１に対して回転阻止状態にロックし、前記ロッドアンテナ１２の突出し時に前記リール部材１３のロックを解除するリールロック機構１４と、前記ロッドアンテナ１２の基端（蓋部ケース７内側の端部）と前記リール部材１３とを連結し、前記蓋部６の閉回動により前記本体部ケース２にロックされた前記リール部材１３に巻取られて前記ロッドアンテナ１２を前記蓋部６内に引込むアンテナ引込みワイヤ１８とを備えている。
【００２３】
前記リール部材１３は、外周にワイヤ巻取り溝を有する円板状リールからなっており、このリール部材１３は、その中心に設けられた軸受け筒１３ａを前記軸部材１１に嵌合して、前記軸部材１１にその軸回り方向に回転可能に支持されている。
【００２４】
そして、前記アンテナ引込みワイヤ１８は、その一端を前記ロッドアンテナ１２の基端に固定され、他端側を前記リール部材１３のワイヤ巻取り溝に前記ロッドアンテナ１２の配置側に対応する側から巻付けられて、その巻付け端を前記リール部材１３に固定されている。
【００２５】
また、前記リールロック機構１４は、前記蓋部ケース７内の前記リール部材１３に設けられたロック部材係合部１５と、前記本体部ケース２に設けられ、予め定めたばね力により前記リール部材１３のロック部材係合部１５に係合し、前記リール部材１３に前記ばね力よりも大きい回転力が加わったときに、前記ロック部材係合部１５から離脱して前記リール部材１３のロックを解除するロック部材１６とからなっている。
【００２６】
前記リール部材１３のロック部材係合部１５は、前記リール部材１３の軸受け筒１３ａの先端部の外周に形成された環状凸部１３ｂの周面の互いに反対側の部分、つまり前記蓋部６の開閉回動角（実質的に１８０度）と同じ角度ずれた２つの部分にそれぞれ設けられており、これらのロック部材係合部１５はそれぞれ、前記リール部材１３のワイヤ繰出し回転方向、つまり前記蓋部６の閉回動方向と同じ方向（前側から見て右回り方向）に向かって前記環状凸部１３ｂの周面から緩やかな傾斜角で外方に突出し、その終端部に、前記環状凸部１３ｂの周面に対して急角度のロック部材当接面が設けられたラチェット状に形成されている。
【００２７】
また、前記ロック部材１６は、前記本体部ケース２の後面部の内面に固定されたロック部材支持枠１７に摺動可能に支持されており、前記支持枠１７内に設けられたロック部材ばね（図示せず）により、予め定めたばね力で前記リール部材１３の環状凸部１３ｂの周面に押付けられている。
【００２８】
すなわち、前記リールロック機構１４は、前記リール部材１３に設けられたロック部材係合部１５のロック部材当接面（リール部材１３の軸受け筒１３ａの先端部の外周に形成された環状凸部１３ｂの周面に対して急角度の面）を前記ロック部材１６により受止めて前記リール部材１３のワイヤ繰出し方向（蓋部６の閉方向）への回転を阻止するものであり、前記リール部材１３に、このリール部材１３を前記ロック部材押圧ばねのばね力よりも大きい力でワイヤ繰出し方向に回転させる回転力が加わったときに、前記ロック部材１６が前記ばね力に抗して前記ロック部材係合部１５のロック部材当接面から離脱して前記リール部材１３のロックを解除し、前記リール部材１３のワイヤ繰出し方向への回転を許容する。
【００２９】
なお、前記リール部材１３の２つのロック部材係合部１５と前記ロック部材１６との位置関係は、前記リール部材１３が本体部ケース２に対して、前記ロッドアンテナ１２の突出し長さが予め定めた値になるまでワイヤ繰出し方向に回転したときに、前記リール部材１３のいずれか一方のロック部材係合部１５のロック部材当接面が前記ロック部材１６により受止められ、前記リール部材１３が前記本体部ケース２に対して、前記アンテナ突出し状態から実質的に１８０度回転したとき、つまりアンテナ引込みワイヤ１８が前記リール部材１３に巻取られてロッドアンテナ１２がその先端の引出し用摘み部１２ａを残して蓋部６内に格納されたときに、前記リール部材１３の反対側のロック部材係合部１５のロック部材当接面が前記ロック部材１６により受止められるように設定されている。
【００３０】
一方、前記リール部材１３の中心に設けられた前記軸受け筒１３ａは、前記軸部材１１に、前記ロック部材押圧ばねのばね力、つまり前記リール部材１３の環状凸部１３ｂの周面に対する前記ロック部材１６の押付け力よりも僅かに強い摩擦力で摺動回転するように嵌合されており、したがって、前記リール部材１３は、前記蓋部６の開回動時は前記リールロック機構１４により拘束されることなく前記蓋部６と一体的に回転する。
【００３１】
なお、図では省略しているが、前記本体部ケース２内には、マイクロフォン素子、電源部及びキー入力部と、送受信回路等を備えた制御部が設けられ、前記蓋部ケース７内には、液晶表示素子、スピーカ素子及び固体撮像素子と、これらの駆動回路が設けられている。
【００３２】
また、前記アンテナ引込みワイヤ１８はアンテナ接続配線を兼ねており、前記液晶表示素子及び固体撮像素子の駆動回路とアンテナ引込みワイヤ１８は、例えば前記リール部材１３及び軸部材１１に形成された図示しないリード通し部を通して設けられたフレキシブルリードを介して前記本体部ケース２内の制御部に接続されている。
【００３３】
さらに、この実施例の携帯電話機は、前記ロッドアンテナ１２の格納と突出しを検知する手段を備えており、このアンテナ格納／突出し検知手段は、例えば、前記リール部材１３の外周の互いに反対側の部分、つまり前記蓋部６の開閉回動角（実質的に１８０度）と同じ角度ずれた２つの部分にそれぞれ突設されたスイッチ作動突起１９と、前記蓋部ケース７内に設けられ、前記スイッチ作動突起１９の一方の当接によりオンし、他方の当接によりオフするマイクロスイッチ２０とにより構成されている。
【００３４】
そして、この携帯電話機では、前記制御部に、前記ロッドアンテナ１２を格納した状態では受信電波が弱くて送受信エラーを生じるおそれがあるときは送受信を開始せずにその旨を表示部８に表示し、前記ロッドアンテナ１２が突出されたときに送受信を開始する機能を備えさせている。
【００３５】
この携帯電話機は、図１のように、蓋部６を本体部１の外方に張出す状態に開回動させ、必要に応じてロッドアンテナ１２を突出させて使用されるものであり、前記蓋部６は、使用後に前記本体部１の前面上に重なる状態に閉回動される。
【００３６】
そして、前記蓋部６の閉回動時は、前記蓋部ケース７内のリール部材１３が前記リールロック機構１４により本体部１に対して回転阻止状態にロックされているため、前記蓋部６の閉回動にともなって、前記アンテナ引込みワイヤ１８が前記リール部材１３に巻取られ、使用時に突出された前記ロッドアンテナ１２が蓋部６内に引込み格納される。
【００３７】
すなわち、この携帯電話機は、蓋部ケース７に設けられた前記ロッドアンテナ１２の基端と前記蓋部ケース７内に回転可能に設けられたリール部材１３とをアンテナ引込みワイヤ１８により連結するとともに、前記蓋部６の閉回動時に前記リール部材１３を本体部１に対して回転阻止状態にロックするリールロック機構１４を備え、前記蓋部６を開回動させた状態で前記蓋部ケース７外に突出された前記ロッドアンテナ１２を、前記蓋部６の閉回動にともなって、前記リールロック機構１４によりロックされた前記リール部材１３に前記アンテナ引込みワイヤ１８を巻取らせて前記蓋部６内に引込むようにしたものであり、この携帯電話機によれば、前記ロッドアンテナ１２を、前記蓋部６の閉回動に連動させて自動的に、しかも曲がりや折れを生じさせることなく格納することができる。
【００３８】
なお、この携帯電話機は、前記ロッドアンテナ１２を突出させずに使用されることもあり、その場合は、前記蓋部６の閉回動にともなって、前記リールロック機構１４により前記本体部１に対して回転阻止状態にロックされた前記リール部材１３に、さらにアンテナ引込みワイヤ１８が巻取られる。
【００３９】
しかし、このときは、前記ロッドアンテナ１２の先端の引出し用摘み部１２ａが蓋部ケース７の端面で受止められているため、前記蓋部６の閉回動にともなってアンテナ引込みワイヤ１８が緊張し、このアンテナ引込みワイヤ１８の緊張力が、前記リール部材１３に、このリール部材１３を前記ロック部材押圧ばねのばね力よりも大きい力でワイヤ繰出し方向に回転させる回転力と同様に作用し、前記ロック部材１６が前記ばね力に抗して前記リール部材１３のロック部材係合部１５のロック部材当接面から離脱して前記リール部材１３のロックを解除するため、前記リール部材１３が前記蓋部６の閉回動にともなって前記蓋部６と一体的に回転する。
【００４０】
したがって、前記携帯電話機をロッドアンテナ１２を突出させずに使用したときに、蓋部６の閉回動にともなってリール部材１３にアンテナ引込みワイヤ１８がさらに巻取られることはないため、前記ロッドアンテナ１２やアンテナ引込みワイヤ１８及びリール部材１３に無理な負荷をかけることなく前記蓋部６を閉回動させることができる。
【００４１】
また、前記携帯電話機の使用に際して前記蓋部６を開回動させる場合は、上述したように、前記リール部材１３が、その軸受け筒１３ａと本体部ケース２に設けられた軸部材１１との摩擦力により、前記リールロック機構１４により拘束されることなく前記蓋部６と一体的に回転するため、前記蓋部６の開回動時に、前記リール部材１３からアンテナ引込みワイヤ１８が繰出されて弛むことはない。
【００４２】
そして、前記ロッドアンテナ１２を突出させる場合、前記リールロック機構１４は、前記ロッドアンテナ１２の突出し時に前記リール部材１３のロックを解除するため、前記リール部材１３をワイヤ繰出し方向に回転させ、前記ロッドアンテナ１２を無理なく前記蓋部６外に突出させることができる。
【００４３】
すなわち、前記ロッドアンテナ１２は、その先端の引出し用摘み部１２ａを引張って蓋部６外に引出されるが、このロッドアンテナ１２をある程度以上の力で引張ると、前記ロック部材１６が前記リール部材１３のロック部材係合部１５から離脱して前記リール部材１３のロックが解除されるため、前記ロッドアンテナ１２を、前記リール部材１３からアンテナ引込みワイヤ１８を繰出させて無理なく引出すことができる。
【００４４】
また、この実施例の携帯電話機は、前記リール部材１３を、前記本体部１の前面に対して垂直に設けられた軸部材１１を中心としてその軸回り方向に回転可能に設けているため、前記本体部と蓋部のケースのうち、前記リール部材１３を設けた蓋部ケース７を厚くすることなく前記リール部材１３の径を大きくし、前記アンテナ引込みワイヤ１８の巻取り及び繰出し長さを、予め定めたアンテナ突出し及び引込みストロークに応じて充分に確保することができる。
【００４５】
しかも、この携帯電話機は、前記蓋部６を前記軸部材１１を中心として前記本体部１の前面に平行な面に沿った方向に開閉回動可能に設け、前記軸部材１１に前記リール部材１３を回転可能に支持させているため、前記蓋部６の枢支軸と前記リール部材１３の回転軸とを共用し、構造を簡単にすることができる。
【００４６】
（第２の実施形態）
図６はこの発明の第２の実施例を示す携帯電話機のアンテナ突出し格納機構のアンテナ突出し状態の正面図である。なお、この実施例において、上述した第１の実施例に対応するものには同符号を付し、同一のものについてはその説明を省略する。
【００４７】
この実施例の携帯電話機は、アンテナ押出しばね２１と、ロッドアンテナ１２を前記アンテナ押出しばね２１のばね力により蓋部ケース７外に突出させるためのアンテナ突出し操作部２２とをさらに備えたものであり、他の構成は実質的に第１の実施例の携帯電話機と同じである。
【００４８】
なお、この実施例では、第１の実施例においてロッドアンテナ１２の先端に設けた引出し用摘み部１２ａを省略し、前記ロッドアンテナ１２の全体を蓋部ケース７内に引込み格納するようにしている。
【００４９】
この実施例において、前記アンテナ押出しばね２１は、例えば前記ロッドアンテナ１２の基端と本体部ケース２内に設けられたばね受け部２２との間に挟持されたコイルばねであり、アンテナ引込みワイヤ１８は、前記コイルばね２１内と前記ばね受け部２２に設けられた孔部を通して前記リール部材１３に連結されている。
【００５０】
また、この実施例では、リールロック機構１４を、前記蓋部ケース７内のリール部材１３に設けられた第１の実施例と同様な２つのロック部材係合部１５と、本体部ケース２に設けられ、ばね力により前記リール部材１３のロック部材係合部１５に係合し、前記本体部ケース２に設けられたアンテナ突出し操作部２２の操作により前記リール部材１３のロック部材係合部１５から離脱されるロック部材１６ａとにより構成している。
【００５１】
前記ロック部材１６ａは、例えば、中間部を本体部ケース２の後面部の内面に枢支され、一端に前記ロック部材係合部１５のロック部材当接面を受止める爪部が形成された回動部材からなっており、前記アンテナ突出し操作部２２は、例えば、前記本体部ケース２の一側面部に設けられ、ケース２外から押圧操作される押しボタン２３と、前記押しボタン２３の復帰ばね（図では一端部を本体部ケース２の側面部に固定された板ばね）２４とからなっている。
【００５２】
そして、前記ロック部材１６ａは、その他端部を前記押しボタン２３から突設されたロッド部材２５の先端に回動可能に転結されており、前記復帰ばね２４の予め定めたばね力により、その一端の前記爪部を前記リール部材１３の前記ロック部材係合部１５が形成された環状凸部１３ｂの周面に押付けられている。
【００５３】
この実施例の携帯電話機は、実質的に第１の実施例の携帯電話機と同じ構成で、且つ、アンテナ押出しばね２１と、ロッドアンテナ１２を前記アンテナ押出しばね２１のばね力により蓋部ケース７外に突出させるためのアンテナ突出し操作部２２とをさらに備えたものであるため、第１の実施例の携帯電話機と同じ効果に加えて、前記ロッドアンテナ１２を、前記アンテナ突出し操作部２２の操作により、前記アンテナ押出しばね２１のばね力で自動的に突出させることができる。
【００５４】
（他の実施形態）
なお、上述した第１及び第２の実施例では、ロッドアンテナ１２を設けた蓋部６のケース７内にリール部材１３を設けているが、このリール部材１３は、本体部ケース２内に設けてもよく、その場合は、アンテナ引込みワイヤ１８を、蓋部６の枢支部またはその付近から本体部ケース２内に導入して前記リール部材１３に連結するとともに、前記蓋部６の閉回動時に前記リール部材１３を前記蓋部６に対して回転阻止状態にロックし、前記ロッドアンテナの突出し時に前記リール部材のロックを解除するリールロック機構を設ければよい。
【００５５】
また、上記実施例の携帯電話機は、蓋部６にロッドアンテナ１２を設けたものであるが、この発明は、本体部にロッドアンテナを設けた携帯電話機にも適用することができ、その場合も、前記本体部と蓋部の一方のケース内に回転可能にリール部材を設け、前記ロッドアンテナの基端と前記リール部材とをアンテナ引込みワイヤにより連結するとともに、前記蓋部の閉回動時に前記リール部材を前記本体部と蓋部の他方に対して回転阻止状態にロックし、前記ロッドアンテナの突出し時に前記リール部材のロックを解除するリールロック機構を備えることにより、前記ロッドアンテナを、蓋部の閉回動に連動させて自動的に、しかも曲がりや折れを生じさせることなく格納し、また前記ロッドアンテナの突出し時に、前記リール部材をワイヤ繰出し方向に回転させて前記ロッドアンテナを無理なく突出させることができる。
【００５６】
さらに、上記実施例の携帯電話機は、蓋部６を、本体部１の前面に平行な面に沿った方向に開閉回動可能に設けたものであるが、この発明は、蓋部を、本体部の前面に平行に設けられた軸部材を中心として前記本体部の外方に張出す開状態と前記本体部の前面上に重なる閉状態とに開閉回動に設け、前記蓋部の前後面のうち、閉回動時に前記本体部１の前面に対向する面に表示部及びスピーカ部を設けた折り重ねタイプの携帯電話機にも適用することができる。
【図面の簡単な説明】
【００５７】
【図１】この発明の第１の実施例を示す携帯電話機の使用状態の斜視図。
【図２】前記携帯電話機のアンテナ突出し格納機構の斜視図。
【図３】前記アンテナ突出し格納機構のアンテナ突出し状態の正面図。
【図４】前記アンテナ突出し格納機構のアンテナ格納状態の正面図。
【図５】図３のV−V線に沿う携帯電話機の拡大断面図。
【図６】この発明の第２の実施例を示す携帯電話機のアンテナ突出し格納機構のアンテナ突出し状態の正面図。
【符号の説明】
【００５８】
１…本体部、２…本体部ケース、３…キーボード部、５…マイク部、６…蓋部、７…蓋部ケース、８…表示部、９…スピーカ部、１０…カメラレンズ部、１１…軸部材、１２…ロッドアンテナ、１３…リール部材、１４…リールロック機構、１５…ロック部材係合部、１６，１６ａ…ロック部材、１８…アンテナ引込みワイヤ、２１…アンテナ押出しばね、２２…アンテナ突出し操作部。
【図１】
2006304094.tif 000003
【図２】
2006304094.tif 000004
【図３】
2006304094.tif 000005
【図４】
2006304094.tif 000006
【図５】
2006304094.tif 000007
【図６】
2006304094.tif 000008